(57)【要約】【課題】  前面寸法及び奥行き寸法を小さくできるようにした電子レンジを提供すること。【解決手段】  ドア３に、閉成時に加熱室１に入り込むように形成したチョーク室１０を設ける。このチョーク室１０を張出壁１９により２分割する。また、チョーク室１０に、開口１１の一端から加熱室１の壁面と接するように延設した調整壁１２、及び第１溝２０と第２溝２１とを連通する連通口２２を設けることを特徴とする。なお、この場合において、第１溝２０の幅寸法Ａを第２溝２１の幅寸法Ｂより小さく形成することが好ましい。【選択図】        図２
2005249267.tif 000002
【特許請求の範囲】
【請求項１】
電波が内部に供給される加熱室と、加熱室の開口部を開閉するドアとを有し、
ドアは閉成時に加熱室に入り込むように形成されたチョーク室を有し、
チョーク室は、加熱室の壁面に対向するように形成された開口と、開口の前端から加熱室の壁面に近接又は接触して前方に延設された調整壁と、開口の後端から加熱室の壁面と所定間隔を置いて対面する外側側壁と、外側側壁と直交して後面に形成された底面壁と、調整壁と直交して前面に形成された前面壁と、前面壁と底面壁とを接続するように調整壁及び外側側壁に対向して形成された内側側壁と、開口の後端から内側側壁に向かってチョーク室内に延びる張出壁と、張出壁の開口側に形成された第１溝と、張出壁の底面壁側に形成された第２溝と、張出壁の先端と内側側壁との間に形成された、第１溝と第２溝とを連通する連通口とを有する
ことを特徴とする電子レンジ。
【請求項２】
電波が内部に供給される加熱室と、加熱室の開口部を開閉するドアとを有し、
ドアは閉成時に加熱室に入り込むように形成されたチョーク室を有し、
チョーク室は、加熱室の壁面に対向するように形成された開口と、開口の後端から加熱室の壁面に近接又は接触して後方側に延設された調整壁と、開口の前端から加熱室の壁面と所定間隔を置いて対面する外側側壁と、外側側壁と直交して前面に形成されたチョーク室の底面壁と、調整壁と直交して後面に形成された後面壁と、底面壁と後面壁とを接続するように外側側壁及び調整壁に対向して形成された内側側壁と、開口の前端から内側側壁に向かってチョーク室内に延びる張出壁と、張出壁の開口側に形成された第１溝と、張出壁の底面壁側に形成された第２溝と、張出壁の先端と内側側壁との間に形成された、第１溝と第２溝とを連通する連通口とを有する
ことを特徴とする電子レンジ。
【請求項３】
前記加熱室の壁面は、加熱室の開口部近傍において、チョーク室の底面壁を前方から当接可能とする段状部を有することを特徴とする請求項１記載の電子レンジ。
【請求項４】
前記加熱室の壁面は、加熱室の開口部近傍において、チョーク室の後面壁を前方から当接可能とする段状部を有することを特徴とする請求項２記載の電子レンジ。
【請求項５】
前記加熱室の壁面は、開口部近傍において、前方に向けて広がるテーパ状に形成されてなることを特徴とする請求項１又は２記載の電子レンジ。
【請求項６】
前記チョーク室は、第１溝の幅寸法が第２溝の幅寸法より小さく形成されてなることを特徴とする請求項１〜５の何れか１項記載の電子レンジ。
【請求項７】
前記チョーク室の開口は、誘電体により覆うように形成されてなることを特徴とする請求項１〜６の何れか１項記載の電子レンジ。
【請求項８】
前記チョーク室は、チョーク室の外側側壁及び張出壁に跨るスリットを所定間隔で設けた周期構造を有することを特徴とする請求項１〜７の何れか１項記載の電子レンジ。
【発明の詳細な説明】
【技術分野】
【０００１】
本発明は、電子レンジに関し、特に、加熱室の開口部を開閉するドア周囲からの電波漏れ防止構造に関する。
【背景技術】
【０００２】
電子レンジにおける加熱室の開口部を開閉するドア周囲からの電波漏れ防止構造に関しては、従来、例えば特許文献１に記載のものが知られている。図１３は、この従来例に係る電子レンジの概略断面図であり、図１４は、同電子レンジにおけるドアのチョーク室付近の拡大断面図である。
従来のものは、この図１３及び図１４に示すように、加熱室１０１の開口部１０２を開閉するドア１０３の周縁に設けたチョーク室１０４を、加熱室１０１の開口部１０２の周縁に設けたフランジ１０５の前面側に接触するように配置している。このため、ドア１０３の外形は、電子レンジの前面寸法が加熱室１０１の開口部１０２の縦横寸法に対し、封口面としてのフランジ１０５の幅寸法Ｎ（図１４参照）と、チョーク室１０４の幅寸法Ｍ（図１４参照）とを合わせた寸法以上の大きさになり、電子レンジの外形を小さくすることが困難であるという欠点があった。
【０００３】
また、従来のドア１０３周囲からの電波漏れ防止構造に関する他の技術として、特許文献２に記載のものが知られている。
この電子レンジのドアには、ドア閉成時に加熱室（オーブン）内へ入り込むように形成されたチョークが設けられていた。したがって、このものでは電子レンジの前面寸法を小さくすることができる。しかしながら、この従来のチョークは、単純なロ字状の空間を有するものであるため、チョークの深さ寸法がλ／４となり、ドアの幅寸法と電子レンジの奥行き寸法が大きくなるという欠点があった。また、チョークの電波漏洩効果も十分ものではなかった。
【特許文献１】特開昭６３−４３２８７号公報  第２図
【特許文献２】特開昭５９−４８５１７号公報  第２図、第５図、第６図
【発明の開示】
【発明が解決しようとする課題】
【０００４】
本発明は、このような従来技術の課題を解決するためになされたものであって、前面寸法及び奥行き寸法を小さくできるようにした電子レンジを提供することを目的とする。
【課題を解決するための手段】
【０００５】
また、本発明に係る第１の解決手段に係る電子レンジは、電波が内部に供給される加熱室と、加熱室の開口部を開閉するドアとを有し、ドアは閉成時に加熱室に入り込むように形成されたチョーク室を有し、チョーク室は、加熱室の壁面に対向するように形成された開口と、開口の前端から加熱室の壁面に近接又は接触して前方に延設された調整壁と、開口の後端から加熱室の壁面と所定間隔を置いて対面する外側側壁と、外側側壁と直交して後面に形成された底面壁と、調整壁と直交して前面に形成された前面壁と、前面壁と底面壁とを接続するように調整壁及び外側側壁に対向して形成された内側側壁と、開口の後端から内側側壁に向かってチョーク室内に延びる張出壁と、張出壁の開口側に形成された第１溝と、張出壁の底面壁側に形成された第２溝と、張出壁の先端と内側側壁との間に形成された、第１溝と第２溝とを連通する連通口とを有することを特徴とする。
【０００６】
本発明に係る第２の解決手段に係る電子レンジは、電波が内部に供給される加熱室と、加熱室の開口部を開閉するドアとを有し、ドアは閉成時に加熱室に入り込むように形成されたチョーク室を有し、チョーク室は、加熱室の壁面に対向するように形成された開口と、開口の後端から加熱室の壁面に近接又は接触して後方側に延設された調整壁と、開口の前端から加熱室の壁面と所定間隔を置いて対面する外側側壁と、外側側壁と直交して前面に形成されたチョーク室の底面壁と、調整壁と直交して後面に形成された後面壁と、底面壁と後面壁とを接続するように外側側壁及び調整壁に対向して形成された内側側壁と、開口の前端から内側側壁に向かってチョーク室内に延びる張出壁と、張出壁の開口側に形成された第１溝と、張出壁の底面壁側に形成された第２溝と、張出壁の先端と内側側壁との間に形成された、第１溝と第２溝とを連通する連通口とを有することを特徴とする。
【０００７】
また、上記各解決手段に係る電子レンジにおいて、加熱室の開口部近傍において、チョーク室の底面壁を前方から当接可能とする段状部を有するように構成してもよい。
【０００８】
また、上記各解決手段に係る電子レンジにおいて、加熱室の開口部近傍において、チョーク室の後面壁を前方から当接可能とする段状部を有するように構成してもよい。
【０００９】
また、上記各解決手段に係る電子レンジにおいて、加熱室の壁面は、開口部近傍において、前方に向けて広がるテーパ状に形成するように構成してもよい。
【００１０】
また、上記各解決手段に係る電子レンジにおいて、前記チョーク室は、第１溝の幅寸法が第２溝の幅寸法より小さく形成することが好ましい。
【００１１】
また、上記各解決手段に係る電子レンジにおいて、チョーク室の開口を誘電体により覆うように形成してもよい。
【００１２】
また、上記各解決手段に係る電子レンジにおいて、チョーク室は、チョーク室の外側側壁及び張出壁に跨るスリットを所定間隔で設けた周期構造を有するようにしてもよい。
【発明の効果】
【００１３】
本発明に係る第１（又は第２）の課題解決手段に係る電子レンジでは、加熱室からドア外周を介して漏洩する電波が、加熱室の壁面に対向して形成されたチョーク室の開口からチョーク室に入る。また、このチョーク構造によれば、チョーク室の開口の前端（又は後端）から加熱室の壁面に近接又は接触して前方に（又は後方に）延設された調整壁の寸法を変更することにより、チョーク室の等価容量Ｃを調整することができ、第２溝の各部の寸法を変えることにより第２溝の等価インピーダンスを調整でき、さらには、張出壁の先端と内側側壁との間に形成された、第１溝と第２溝とを連通する連通口の寸法を変更することにより、連通口の等価インピーダンスを調整することができる。したがって、これら各調整機能を調整することにより電子レンジにおける基本波に対するチョーク構造として最適のチョーク室を設計することが可能となり、従来に比し小さいチョーク室を得ることができる。また、加熱室の壁面に近接又は接触して前方に（又は後方に）延設された調整壁により、加熱室から外部へ漏洩する電波を減衰させることができる。
【００１４】
また、上記第１（又は第２）の課題解決手段に係る電子レンジにおいて、加熱室の開口部近傍において、チョーク室の底面壁（又は後面壁）を前方から当接可能とするように加熱室の壁面を段状部に形成すると、ドア閉成時にチョーク室の底面壁（又は後面壁）を加熱室の壁面に金属接触させることができる。したがって、この金属接触により加熱室から外部へ漏洩する電波を封じ込めることができる。
【００１５】
また、上記各解決手段に係る電子レンジにおいて、加熱室の開口部近傍を前方に向けて広がるテーパ状に形成すると、ドアの開閉に支障をきたすことなく、ドア閉成時における調整壁とテーパ面との隙間を小さくすることができる。したがって、調整壁による漏洩電波の減衰効果をより向上させることができる。
【００１６】
また、上記各解決手段に係る電子レンジにおいて、チョーク室の第１溝の幅寸法を第２溝の幅寸法より小さく形成すると、第２溝の特性インピーダンスを第１溝の特性インピーダンスより大きくすることができ、容易にチョーク室の寸法を従来に比し小さくすることができる。
【００１７】
上記各解決手段に係る電子レンジにおいて、チョーク室の開口を誘電体により覆うように形成すると、チョーク室の開口からチョーク室内への電波の進入を妨げることなく、チョーク室へのごみの侵入を防止するとともに、ドア開放時にチョーク室の開口を誘電体で隠すことができ、ドア開放時の体裁を向上させることができる。
【００１８】
また、上記各解決手段に係る電子レンジにおいて、チョーク室の外側側壁及び張出壁に跨るスリットを所定間隔で設けた周期構造を形成すると、加熱室の開口部の封口面に沿う電波の伝播を阻止することができ、加熱室から外部へ漏洩する電波の漏洩防止効果を向上させることができる。
【発明を実施するための最良の形態】
【００１９】
以下、各実施例について図面に基づき説明する。
【実施例１】
【００２０】
図１〜図５に基づき本発明の実施例１を説明する。
図１は実施例１に係る電子レンジの概略断面図であり、図２は同電子レンジにおけるドア３のチョーク室付近の拡大断面図であり、図３は同電子レンジのドアを閉成した状態における正面側からの斜視図である。また、図４は同電子レンジのドアを開成した状態における正面側からの斜視図であって、誘電体を取り除いた状態で示す。図５は同電子レンジにおけるドアの正面側からの斜視図であって、誘電体を取り除いた状態で示す。
【００２１】
図１〜４に示すように、実施例１に係る電子レンジは、通常の電子レンジと同様、加熱室１前面の開口部２がドア３により開閉されている。加熱室１は高周波発振器であるマグネトロン（図示せず）から導波路（図示せず）を介して電波が照射されるように構成されている。加熱室１前面の開口部２は、前方に拡大する鍵型段状部４を有し、さらに、この段状部４の開口端にフランジ部５が形成されている。段状部４は、開口部２の開口面に平行な肩部を成す肩壁面４ａと、開口部２の開口面に直交して奥行き方向に延びる奥行き方向壁面４ｂとを備えている。
【００２２】
ドア３の正面板６の外周には、加熱室１の内部に入り込む、より具体的には、加熱室１の段状部４内に入り込むチョーク室１０が突出して形成されている。また、正面板６の中央部には、多数の小孔を形成することにより電波を遮断するパンチング板部７が形成されている。
【００２３】
チョーク室１０は、加熱室１の壁面（奥行き方向壁面）４ｂに対向するように形成された開口１１を備えている。また、開口１１の前端から奥行き方向壁面４ｂに近接又は接触して前方に延設された調整壁１２を備えている。調整壁１２は、奥行き方向壁面４ｂに近接又は接触しているので、外部へ漏洩する電波を減衰させることができる。また、調整壁１２の前端からは、この調整壁１２と直角方向にチョーク室１０の前面を成す前面壁１３が形成されている。なお、調整壁１２及び前面壁１３は、ドア３の正面板６の外周端部を利用したものであって、調整壁１２は正面板６の端部を折り曲げることにより形成されている。
【００２４】
また、開口１１の後端からは、加熱室１の奥行き方向壁面４ｂとの間に所定間隔の隙間１４を置いて対面する外側側壁１５が形成されている。調整壁１２の先端部と外側側壁１５とで開口１１が形成され、調整壁１２の寸法Ｄを調整することにより、チョーク室１０の等価容量Ｃを調整することができる。
また、隙間１４に対応する部分に板状の誘電体１６が接着されている。この誘電体１６は、チョーク室１０の開口１１への電波を通過可能としながら、チョーク室１０にごみが堆積するのを防止すると共に、ドア３を開放したときにチョーク室１０の開口１１が目障りとなって体裁が悪くなるのを防止することができる。
【００２５】
また、チョーク室１０は、外側側壁１５と直角方向にチョーク室１０の後面をなす底面壁１７を備えている。底面壁１７は、チョーク室１０の短絡面を形成する。また、底面壁１７は、ドア３閉成時に肩壁面４ａに金属接触するように形成されている。このように金属接触させることにより、加熱室１からドア３周縁を介して漏洩する電波を加熱室内に閉じ込めることができる。
【００２６】
また、チョーク室１０は、前面壁１３と底面壁１７とを接続するように、調整壁１２及び外側側壁１５に対向して形成された内側側壁１８を備えている。また、チョーク室１０は、開口１１の後端からチョーク室１０内に向かって、即ち、外側側壁１５から直角方向に内側側壁１８に向かって延びる張出壁１９を備えている。張出壁１９は、チョーク室１０を開口１１側の第１溝２０と底面壁１７側の第２溝２１とに分割する。張出壁１９の先端と内側側壁１８との間には、第１溝２０と第２溝２１とを連通する所定寸法の連通口２２が形成されている。また、第１溝２０の幅寸法Ａは、第２溝２１の幅寸法Ｂに対し小さく（Ａ＜Ｂ）形成されている。
【００２７】
一般に電子レンジでは、ドア３の外周から漏洩する電波は、図４に示すようにｘ、ｙ及びｚ方向に分けることができる。本実施例１における電子レンジでは、図２の断面図をｘ−ｙ平面とすると、ｘ及びｙ方向の電波の伝播をチョーク室１０により防止している。また、ｚ方向の電波の伝播を阻止するために、チョーク室１０の外側側壁１５から張出壁１９に跨るスリット２３を所定間隔で設けた周期構造を形成している。
【００２８】
以上のように構成された本実施例の電子レンジでは、底面壁１７と段状部４の肩壁面４ａとが共に開口部２の開口面と平行に形成されているため、ドア３閉成時に両者を金属接触するように製作することが容易にできる。このため、加熱室１からドア３の周辺部を通って漏洩する電波は、まず、底面壁１７と段状部４との金属接触により加熱室１内に封じ込められ、漏洩する電波を大幅に減少することができる。また、調整壁１２が段状部４の奥行き方向壁面４ｂに近接又は接触するように形成されているため、さらにこの部分で減衰される。
【００２９】
また、底面壁１７と段状部４との金属接触部を通過した電波のうちｚ方向の電波は、外側側壁１５から張出壁１９に跨るスリット２３を所定間隔で設けた周期構造により漏洩が防止される。また、ｘ、ｙ方向の電波は、開口１１よりチョーク室１０内に入りチョーク室１０において電波の漏洩が防止される。
【００３０】
チョーク室１０の電波漏洩防止構造は空洞共振器の共振現象と考えられ、共振周波数は、チョーク室１０の等価インダクタンスＬと等価容量Ｃとから求めることができる。チョーク室１０の等価容量Ｃは、ドア正面板６の調整壁１２の長さＤを変化させることにより容易に調整することができる。また、チョーク室１０の等価容量Ｃは、第１溝２０と第２溝２１との連通口２２の寸法を変化させることによっても、容易に調整することができる。さらに、等価インダクタンスＬは、第１溝２０の寸法を変化させることにより容易に調整することができる。
したがって、本実施例に係るチョーク室１０は、これら寸法を変化させることにより、電子レンジの基本波である２４５０ＭＨｚに最適な小型のチョーク室を設計することができ、電子レンジの前面寸法及び奥行き寸法を小さくすることができ
【００３１】
また、本実施例に係る電子レンジでは、第１溝２０の幅寸法Ａを第２溝２１の幅寸法Ｂに比べて小さくしているので、第２溝２１の特性インピーダンスを第１溝２０より大きくすることができ、これによりチョーク室１０の大きさを容易に小さくすることができ、電子レンジの奥行き方向寸法を小さくすることができる。
【実施例２】
【００３２】
次に実施例２について、図６及び図７に基づき説明する。なお、図６は実施例２に係る電子レンジの概略断面図であり、図７は同電子レンジにおけるドアのチョーク室付近の拡大断面図である。なお、実施例１と同一の個所には同一の符号を付し、その説明を省略する。
【００３３】
実施例２は、実施例１において、加熱室１の開口部２の形状を変更したものである。
すなわち、実施例２は、図６及び図７に示すように、加熱室１の前面の開口部２を、前方に拡大するテーパ部２５にしている。また、開口部２のテーパ部２５の形状に合わせて、調整壁１２及び外側側壁１５をテーパ部２５に沿わせるようにして、実施例１と同様のチョーク室１０を斜めに取り付けている。
実施例２におけるチョーク室１０は、加熱室１に段状部がないため底面壁１７は加熱室１の壁面と金属接触していないが、調整壁１２は実施例１の場合と同様に加熱室１の壁面、具体的にはテーパ部２５の壁面に接触または近接するように取り付けられている。
なお、誘電体１６の形状が実施例１と異なり、楔状になっているが、実施例１のような平板状にしてもよい。
【００３４】
実施例２は、以上のように構成されているため、加熱室１からドア３の周辺部を通って漏洩する電波のうち、図７の断面図ｘ−ｙ平面とすると、ｘ、ｙ方向（実施例１に係る図４参照）の電波は、チョーク室１０において漏洩が防止される。また、Ｚ方向（実施例１に係る図４参照）の電波は、外側側壁１５から張出壁１９に跨るスリット２３を所定間隔で設けた周期構造により漏洩が防止される。また、加熱室１からドア３の周辺部を通って漏洩する電波は、調整壁１２とテーパ部２５の壁部との近接又は接触により封じ込められる。
【００３５】
また、加熱室１の開口部２がテーパ状に形成されているため、ドア３を開きかけると、調整壁１２とテーパ部２５の壁部との間の隙間が大きくなる。このため、ドア閉成時における調整壁１２とテーパ部２５の壁部とをより密接にすることができ、加熱室１から外部に漏洩する電波をより一層軽減することができる。
【実施例３】
【００３６】
次に実施例３について、図８〜図１０に基づき説明する。なお、図８は実施例３に係る電子レンジの概略断面図であり、図９は同電子レンジにおけるドアのチョーク室付近の拡大断面図であり、図１０は、同電子レンジにおけるドアの正面側からの斜視図である。なお、実施例１と同一の個所には同一の符号を付し、その説明を省略する。
実施例３は、実施例１において、チョーク構造を変更したものである。
図８〜１０に示すように、実施例３に係る電子レンジは、実施例１の電子レンジと同様、加熱室１前面の開口部２がドア３により開閉され、加熱室１前面の開口部２に、前方に拡大する鍵型段状部４が設けられている。
【００３７】
また、ドア３の外周には、加熱室１の内部に入り込む、より具体的には、加熱室１の段状部４内に入り込むチョーク室４０が突出して形成されている。また、正面板（封口板）３６の中央部には、多数の小孔を形成することにより電波を遮断するパンチング板部３７が形成されている。
【００３８】
チョーク室４０は、加熱室１の壁面に対向するように形成された開口４１を備えている。また、開口４１の後端から加熱室１の壁面（奥行き方向壁面）４ｂに近接又は接触して後方側に延設された調整壁４２を備えている。調整壁４２は、奥行き方向壁面４ｂに近接又は接触しているので、外部へ漏洩する電波を減衰させることができる。また、調整壁４２の後端からは、この調整壁４２と直角方向にチョーク室４０の後面を成す後面壁４３が形成されている。なお、調整壁４２及び後面壁４３は、ドア３の正面板（封口板）３６の外周端部を利用したものであって、調整壁４２は正面板３６の端部を折り曲げることにより形成されている。また、後面壁４３は、ドア３閉成時に肩壁面４ａに金属接触するように形成されている。このように金属接触させることにより、加熱室１からドア３周縁を介して漏洩する電波を加熱室内に閉じ込めることができる。
【００３９】
また、開口４１の前端からは、加熱室１の壁面（奥行き方向壁面）４ｂとの間に所定間隔の隙間４４を置いて対面する外側側壁４５が形成されている。調整壁４２の先端部と外側側壁４５とで開口４１が形成され、調整壁４２の寸法Ｄを調整することにより、チョーク室４０の等価容量Ｃを調整することができる。
また、隙間１４に対応する部分に板状の誘電体４６が接着されている。この誘電体４６は、チョーク室４０の開口４１への電波を通過可能としながら、チョーク室４０にごみが堆積するのを防止すると共に、ドア３を開放したときにチョーク室４０の開口４１が目障りとなって体裁が悪くなるのを防止することができる。
【００４０】
また、チョーク室４０は、外側側壁４５と直角方向にチョーク室４０の前面をなす底面壁４７を備えている。底面壁４７は、チョーク室４０の短絡面を形成する。
【００４１】
また、チョーク室４０は、底面壁４７と後面壁４３とを接続するように、外側側壁４５及び調整壁４２に対向して形成された内側側壁４８を備えている。また、チョーク室４０は、開口４１の後端からチョーク室４０内に向かって、即ち、外側側壁４５から直角方向に内側側壁４８に向かって延びる張出壁４９を備えている。張出壁４９は、チョーク室４０を開口４１側の第１溝５０と底面壁４７側の第２溝５１とに分割する。張出壁４９の先端と内側側壁４８との間には、第１溝５０と第２溝５１とを連通する所定寸法の連通口５２が形成されている。また、第１溝５０の幅寸法Ａは、第２溝５１の幅寸法Ｂに対し小さく（Ａ＜Ｂ）形成されている。
【００４２】
本実施例３における電子レンジでは、図９の断面図をｘ−ｙ平面とすると、チョーク室４０がｘ及びｙ方向（実施例１の図４参照）の電波の伝播を阻止する。また、ｚ方向（実施例１の図４参照）の電波の伝播を阻止するために、チョーク室４０には、外側側壁４５から張出壁４９に跨るスリット５３を所定間隔で設けた周期構造が形成されている。
【００４３】
以上のように構成された本実施例の電子レンジでは、後面壁４３と段状部４の肩壁面４ａとが共に開口部２の開口面と平行に形成されているため、ドア３の閉成時に両者を金属接触するように製作することが容易にできる。このため、加熱室１からドア３の周辺部を通って漏洩する電波は、まず、後面壁４３と段状部４との金属接触により加熱室１内に封じ込められ、漏洩する電波を大幅に減少することができる。
【００４４】
また、後面壁４３と段状部４との金属接触部を通過した電波のうちｚ方向の電波は、外側側壁４５から張出壁４９に跨るスリット５３を所定間隔で設けた周期構造により漏洩が防止される。また、ｘ、ｙ方向の電波は、開口４１からチョーク室４０内に入り、チョーク室４０において電波の漏洩が防止される。
【００４５】
また、この実施例に係るチョーク室４０の等価容量Ｃは、調整壁４２の長さＤを変化させることにより容易に調整することができる。また、チョーク室１０の等価容量Ｃは、第１溝５０と第２溝５１との連通口５２の寸法を変化させることによっても、容易に調整することができる。さらに、等価インダクタンスＬは、第１溝５０の寸法を変化させることにより容易に調整することができる。
したがって、本実施例に係るチョーク室４０は、これら寸法を変化させることにより、電子レンジの基本波である２４５０ＭＨｚに最適な小型のチョーク室を設計することができ、電子レンジの前面寸法及び奥行き寸法を小さくすることができる。
【００４６】
また、本実施例に係る電子レンジでは、第１溝５０の幅寸法Ａを第２溝５１の幅寸法Ｂに比べて小さくしているので、第２溝５１の特性インピーダンスを第１溝５０より大きくすることができ、これによりチョーク室４０の大きさを容易に小さくすることができる。
【実施例４】
【００４７】
次に実施例４について、図１１及び図１２に基づき説明する。なお、図１１は実施例４に係る電子レンジの概略断面図であり、図１２は同電子レンジにおけるドアのチョーク室付近の拡大断面図である。なお、実施例３と同一の個所には同一の符号を付し、その説明を省略する。
【００４８】
実施例４は、実施例３において、加熱室１の開口部２の形状を変更したものである。
すなわち、実施例４は、図１１及び図１２に示すように、加熱室１の前面の開口部２を、前方に拡大するテーパ部５５にしている。また、開口部２のテーパ部５５の形状に合わせて、調整壁４２及び外側側壁４５をテーパ部５５に沿わせるようにして、実施例１と同様のチョーク室４０を斜めに取り付けている。
実施例４におけるチョーク室４０は、加熱室１に段状部がないため後面壁４３は加熱室１の壁面と金属接触していないが、調整壁４２は実施例１の場合と同様に加熱室１の壁面、具体的にはテーパ部５５の壁面に接触または近接するように取り付けられている。
なお、誘電体４６の形状が実施例１と異なり、楔状になっているが、実施例１のような平板状にしてもよい。
【００４９】
実施例４は、以上のように構成されているため、加熱室１からドア３の周辺部を通って漏洩する電波のうち、図１２の断面図をｘ−ｙ平面とすると、ｘ、ｙ方向（実施例１に係る図４参照）の電波は、チョーク室４０において漏洩が防止される。また、Ｚ方向の電波は、外側側壁４５から張出壁４９に跨るスリット５３を所定間隔で設けた周期構造により漏洩が防止される。また、加熱室１からドア３の周辺部を通って漏洩する電波は、調整壁４２とテーパ部５５の壁部との近接又は接触により封じ込められる。
【００５０】
また、加熱室１の開口部２がテーパ状に形成されているため、ドア３を開き始めると、調整壁４２とテーパ部５５の壁部との間の隙間が大きくなるため、ドア閉成時における調整壁４２とテーパ部５５の壁部とをより密接にすることができ、加熱室１から外部に漏洩する電波をより一層軽減することができる。
【図面の簡単な説明】
【００５１】
【図１】実施例１に係る電子レンジの概略断面図である。
【図２】同電子レンジにおけるドアのチョーク室付近の拡大断面図である。
【図３】同電子レンジのドアを閉成した状態における正面側からの斜視図である。
【図４】同電子レンジのドアを開成した状態における正面側からの斜視図であって、誘電体を取り除いた状態で示す。
【図５】同電子レンジにおけるドアの正面側からの斜視図であって、誘電体を取り除いた状態で示す。
【図６】実施例２に係る電子レンジの概略断面図である。
【図７】同電子レンジにおけるドアのチョーク室付近の拡大断面図である。
【図８】実施例３に係る電子レンジの概略断面図である。
【図９】同電子レンジにおけるドアのチョーク室付近の拡大断面図である。
【図１０】同電子レンジにおけるドアの正面側からの斜視図であって、誘電体を取り除いた状態で示す。
【図１１】実施例４に係る電子レンジの概略断面図である。
【図１２】同電子レンジにおけるドアのチョーク室付近の拡大断面図である。
【図１３】従来例に係る電子レンジの概略断面図である。
【図１４】同電子レンジにおけるドアのチョーク室付近の拡大断面図である。
【符号の説明】
【００５２】
１  加熱室
２  開口部
３  ドア
４  段状部
４ｂ  奥行き方向壁面
４ａ  肩壁面
５  フランジ部
１０  チョーク室
１１  開口
１２  調整壁
１３  前面壁
１４  隙間
１５  外側側壁
１６  誘電体
１７  底面壁
１８  内側側壁
１９  張出壁
２０  第１溝
２１  第２溝
２２  連通口
２３  スリット
２５  テーパ部
４０  チョーク室
４１  開口
４２  調整壁
４３  後面壁
４４  隙間
４５  外側側壁
４６  誘電体
４７  底面壁
４８  内側側壁
４９  張出壁
５０  第１溝
５１  第２溝
５２  連通口
５３  スリット
５５  テーパ部
Ａ  第１溝の幅寸法
Ｂ  第２溝の幅寸法
【図１】
2005249267.tif 000003
【図２】
2005249267.tif 000004
【図３】
2005249267.tif 000005
【図４】
2005249267.tif 000006
【図５】
2005249267.tif 000007
【図６】
2005249267.tif 000008
【図７】
2005249267.tif 000009
【図８】
2005249267.tif 000010
【図９】
2005249267.tif 000011
【図１０】
2005249267.tif 000012
【図１１】
2005249267.tif 000013
【図１２】
2005249267.tif 000014
【図１３】
2005249267.tif 000015
【図１４】
2005249267.tif 000016